(57)【特許請求の範囲】
【請求項１】
開口に設けた上レールと下レールとの間に複数枚の引戸を開閉自在に配置し、引っ掛け頭部を有する引っ掛けビスを開口の側部の枠材に打入し、複数の引戸のうち上記枠材に固定する引戸の端面に上記引っ掛けビスと対応する位置で設けた切欠に固定装置を装着し、この固定装置は本体板の両側から側板を延出した係止プレートと、係止プレートを切欠内に配置させるための押さえプレートとを有し、本体板を切欠内に位置させると共に側板を引戸の表裏両面に沿うように位置させて係止プレートを切欠に上下にスライド自在に配設し、係止プレートの上から切欠に押さえプレートを取付け、係止プレートの本体板に上記引っ掛け頭部を挿通し得る大径孔と引っ掛け頭部を係止し得る小径孔とを上下に有するだるま孔状の引っ掛け孔を形成し、上記引っ掛け孔を露出させる開口を押さえプレートに形成したことを特徴とする引戸装置。
【請求項２】
上レールに３条の摺動溝を平行に設け、各摺動溝に夫々摺動部材を上レールの長手方向に摺動自在に装着すると共に各摺動部材に夫々引戸の上端を装着し、上レールの巾方向の中央に位置する摺動部材の長手方向の両端に夫々プーリを回転自在に装着すると共に両端のプーリ間に環状のワイヤを掛け回し、上レールの巾方向の両側に位置する摺動部材を夫々ワイヤに結合して３枚の引戸を連動させ、開口を閉じるように引戸を閉じたとき互いに当たって止まるストッパーを各引戸の下部に夫々設けて成ることを特徴とする請求項１記載の引戸装置。
【請求項３】
引戸の枠材に当接する端面や互いに召し合わせる端面に上下方向に断面略半円状の凹溝を設け、この凹溝に円筒状の軟質クッション材を埋設するように取り付けて成ることを特徴とする請求項１または請求項２記載の引戸装置。
【請求項４】
上レールに装着した摺動部材を介して連動して開閉する３枚の引戸を１組にして開口の左右に左右対称になるように２組配置し、下レールの左右端部に設けたプーリーにワイヤをたすき掛けに架設し、閉じたときに開口の左右方向の中央部で隣接する一対の引戸にワイヤをそれぞれ連結したことを特徴とする請求項２に記載の引戸装置。
【発明の詳細な説明】
【０００１】
【発明の属する技術分野】
本発明は開口に設けた上レールと下レールとの間に複数枚の引戸を開閉自在に配置した引戸装置の構造に関するものである。
【０００２】
【従来の技術】
従来、図１６に示すように壁の開口の上部及び両側の側部には枠材１０が装着され、上部の枠材１０に設けた上レールと床の下レール１３との間に複数枚の引戸４が摺動自在に装着して引戸４を開閉自在にしている。このような引戸装置において通常開閉操作しない引戸４は側部の枠材１０に固定されるが、通常は引戸の端部に鎌錠３３を設け、鎌錠３３のフック状の鎌を枠材１０に設けた鎌受けに引っ掛け係止して止めるようになっていた。
【０００３】
【発明が解決しようとする課題】
ところが、鎌錠を受ける鎌受けは枠材に凹所を掘削し、この凹所に埋設するように取り付けなければならなく、鎌受けの取り付けに工数や手間を要するという問題があった。
【０００４】
本発明は上記の点に鑑みてなされたものであり、枠材側は引っ掛けビスを打入するだけでよくて枠材側の施工が容易にできる引戸装置を提供するにある。
【０００５】
【課題を解決するための手段】
上記課題を解決するために本発明の請求項１の引戸装置は、開口に設けた上レールと下レールとの間に複数枚の引戸を開閉自在に配置し、引っ掛け頭部を有する引っ掛けビスを開口の側部の枠材に打入し、複数の引戸のうち上記枠材に固定する引戸の端面に上記引っ掛けビスと対応する位置で設けた切欠に固定装置を装着し、この固定装置は本体板の両側から側板を延出した係止プレートと、係止プレートを切欠内に配置させるための押さえプレートとを有し、本体板を切欠内に位置させると共に側板を引戸の表裏両面に沿うように位置させて係止プレートを切欠に上下にスライド自在に配設し、係止プレートの上から切欠に押さえプレートを取付け、係止プレートの本体板に上記引っ掛け頭部を挿通し得る大径孔と引っ掛け頭部を係止し得る小径孔とを上下に有するだるま孔状の引っ掛け孔を形成し、上記引っ掛け孔を露出させる開口を押さえプレートに形成したことを特徴とする。固定装置の係止プレートの引っ掛け孔の大径孔と引っ掛けビスの引っ掛け頭部とを対応させて引っ掛け頭部を大径孔に挿通し、係止プレートをスライドさせて引っ掛け孔の小径孔を引っ掛け頭部に引っ掛けて引戸を固定することができる。このために枠材側には引っ掛けビスを打入するだけでよくて枠材側の施工に工数や手間を要せず施工を容易にできる。
【０００６】
また本発明の請求項２の引戸装置は、請求項１において、上レールに３条の摺動溝を平行に設け、各摺動溝に夫々摺動部材を上レールの長手方向に摺動自在に装着すると共に各摺動部材に夫々引戸の上端を装着し、上レールの巾方向の中央に位置する摺動部材の長手方向の両端に夫々プーリを回転自在に装着すると共に両端のプーリ間に環状のワイヤを掛け回し、上レールの巾方向の両側に位置する摺動部材を夫々ワイヤに結合して３枚の引戸を連動させ、開口を閉じるように引戸を閉じたとき互いに当たって止まるストッパーを各引戸の下部に夫々設けて成ることを特徴とする。３枚の引戸を連動させて開閉することができて開閉操作が容易にできる。３枚の引戸を連動させる摺動部材やプーリやワイヤが上レール内に納まって外観上殆ど目立つことがなくて外観を向上できる。また上記のように３枚の引戸を上レールの部分で連動させるものでも各引戸を閉じたとき引戸の下部のストッパー同士が当たって相互に止められ、引戸の下部が浮き上がるように引戸が傾いたりするおそれがない。
【０００７】
また本発明の請求項３の引戸装置は、請求項１または請求項２において、引戸の枠材に当接する端面や互いに召し合わせる端面に上下方向に断面略半円状の凹溝を設け、この凹溝に円筒状の軟質クッション材を埋設するように取り付けて成ることを特徴とする。引戸を閉じたとき軟質クッション材にて簡単に明かり漏れ防止ができる。
【０００８】
また本発明の請求項４の引戸装置は、請求項２において、上レールに装着した摺動部材を介して連動して開閉する３枚の引戸を１組にして開口の左右に左右対称になるように２組配置し、下レールの左右端部に設けたプーリーにワイヤをたすき掛けに架設し、閉じたときに開口の左右方向の中央部で隣接する一対の引戸にワイヤをそれぞれ連結したことを特徴とする。１枚の引戸を開閉することで他の５枚の引戸を連動させて開閉することができて開閉操作が容易にでき、またその際に左右対称に引戸が開閉されて外観が向上するものである。
【０００９】
【発明の実施の形態】
図１乃至図８は引戸装置が連動引戸の例を示す。壁８には引戸で開閉する開口９を設けてあり、開口９の上部及び側部内周には枠材１０を装着してあり、枠材１０と壁８との間の全周に亙って額縁１１を装着してある。上の枠材１０には枠材１０に埋設するように長手方向に亙って上レール１を装着してあり、床１２面には長手方向に亙って下レール１３を装着してある。上レール１内には３条の摺動溝２ａ，２ｂ，２ｃを平行になるように設けてあり、各摺動溝２ａ，２ｂ，２ｃには摺動部材３ａ，３ｂ，３ｃを摺動溝２ａ，２ｂ，２ｃの長手方向に摺動自在になるように装着してある。本例の場合、摺動部材３ａ，３ｂ，３ｃは左右に対称になるように２組配置されている。摺動部材３ａ，３ｃは両端の端部ブロック１４を連結板１５で連結して形成されており、端部ブロック１４の両側に設けた係止溝１６を摺動溝２ａ，２ｃの両側の係止片１７に摺動自在に係止してある。摺動部材３ａ，３ｂの一方の端部ブロック１４には連結部１８を一体に設けてあり、連結部１８には嵌合凹部１９を設けてある。摺動部材３ｂは両端の端部ブロック２０を連結板２１にて連結して形成されており、端部ブロック２０の上部の両側に設けた係止溝２２に摺動溝２ｂの上底近傍の係止片２３を摺動自在に係止してある。摺動部材３ｂの下面の両端には夫々プーリ５を装着してあり、両端のプーリ５間に環状のワイヤ６を掛け回してある。ワイヤ６に１８０°位相のずれた位置で球状の嵌合突部７を設けてある。また摺動部材３ａ，３ｃは連結部１８の嵌合凹部１９と嵌合突部７とを嵌合することでワイヤ６に連結してある。摺動部材３ａ，３ｂ，３ｃの両端の近傍には連結孔２４を穿孔してある。
【００１０】
引戸４としては本例の場合、３枚の引戸４ａ，４ｂ，４ｃがあり、この引戸４ａ，４ｂ，４ｃは戸框２６にガラスのような面板２７を装着して形成されている。引戸４ａ，４ｂ，４ｃの上部にはピンブロック２８を埋設して装着してあり、ピンブロック２８のピン２９をバネにて上方に突出するように付勢してある。各摺動部材３ａ，３ｂ，３ｃの下には夫々引戸４ａ，４ｂ，４ｃが配置され、ピン２９を連結孔２４に挿入することで各摺動部材３ａ，３ｂ，３ｃに引戸４ａ，４ｂ，４ｃを取り付けてある。本例の場合、引戸４ａ，４ｂ，４ｃを左右に２組装着してある。引戸４ａ，４ｂ，４ｃの下端には夫々戸車３１を装着してあり、下レール１３に設けた３条のレール溝３２に沿って戸車３１が転動して走行するようになっている。
【００１１】
上記のように３枚の引戸４ａ，４ｂ，４ｃが左右に対称に２組取り付けられるが、摺動部材３ａ，３ｂ，３ｃがプーリ５の回りに回動するワイヤ６にて連動して引戸４ａ，４ｂ，４ｃが連動して開閉する。このため例えば引戸４ｃを固定しておけば、引戸４ａを移動操作するだけで図２、図４（ａ）に示すように引戸４ａ，４ｂ，４ｃにて開口９を閉じたり、図３、図４（ｂ）に示すように引戸４ａ，４ｂ，４ｃを開いたりできる。
【００１２】
上記のように連動引戸よりなる引戸装置が構成されるが、引戸４ａ，４ｂ，４ｃのうち引戸４ｃが側部の枠体１０に固定されるが、次のような構造を採用している。図９乃至図１１に示すように引戸４ｃの戸框２６の端面には切欠３４を設けてあり、この切欠に３４に固定装置３５を装着してある。この固定装置３５は係止プレート３６と押さえプレート３９とで形成されている。この係止プレート３６は中央の本体板３６ａと両側の側板３６ｂとで略Ｈ型になるように形成されており、本体板３６ａが切欠３４内に納まると共に側板３６ｂが戸框２６の両面に沿うように配置してあり、係止プレート３６を所定の高さ上下動自在にしてある。この係止プレート３６の本体板３６ａには大径孔３７ａと小径孔３７ｂとが上下に位置するようにしただるま孔状の引っ掛け孔３７を穿孔してある。大径孔３７ａは後述する引っ掛けビス３８の引っ掛け頭部３８ａが挿通する大きさで、小径孔３７ｂは引っ掛け頭部３８ａが引っ掛け係止される大きさである。押さえプレート３９は切欠３４に納まる大きさであり、上端及び下端に折曲縁３９ａを有し、係止プレート３６の上から押さえプレート３９を切欠３４に納めてある。押さえプレート３９の上下には取り付け孔４５を設けてあり、取り付け孔４５から戸框２６に取り付けビス４６を打入して押さえプレート３９を取り付けてある。この押さえプレート３９には引っ掛け孔３７を露出させる開口４７を設けてある。引っ掛けビス３８は上端に引っ掛け頭部３８ａを有し、引っ掛け頭部３８ａの上端に十字溝のようなドライバー溝３８ｂを有し、引っ掛け頭部３８ａの首下に鍔部３８ｃを有し、鍔部３８ｃより先端側にねじ部３８ｄを有する。そして固定装置３５に対応する位置で枠材１０には引っ掛けビス３８がねじ部３８ｄを螺合することで取り付けられている。引戸４ｃを固定装置３５で枠材１０に固定する場合、係止プレート３６を上にスライドさせた状態で、引っ掛け孔３７の大径孔３７ａと引っ掛けビス３８の引っ掛け頭部３８ａを対応させ、大径穴３７ａを引っ掛け頭部３８ａに挿通し、係止プレート３６を下方にスライドさせて小径孔３７ｂと引っ掛け頭部３８ａとを対応させて小径孔３７ｂを引っ掛け頭部３８ａに係止させて引戸４ｃを固定する。このようにすると、枠材１０側では引っ掛けビス３８を打入するだけで施工ができて従来に比べて枠材１０側の施工が容易になる。
【００１３】
上記のように引戸４ａ，４ｂ，４ｃが連動して開閉されるようになっているが、引戸４ａ，４ｂ，４ｃが上レール１に設けた連動機構で連動するようになっており、引戸４ａ，４ｂの下端がフリーになっているために引戸４ａ，４ｂ，４ｃを閉じたとき引戸４ａ，４ｂの下端が図１２（ｃ）の矢印のように浮き上がって引戸４ａ，４ｂが傾くおそれがある。そこで本発明では図１や図１２（ａ）（ｂ）に示すように引戸４ａ，４ｂ，４ｃの下部に引戸４ａ，４ｂ，４ｃを閉じたとき互いに当たって止まるストッパー４０を設けてある。このようにしてあると、引戸４ａ，４ｂ，４ｃを全閉したときストッパー４０同士が当たって止まり、引戸４ａ，４ｂが傾いたりする弊害がない。
【００１４】
次に図１３に示す実施の形態の例について述べる。本例の場合、引戸４ａ，４ｂが左右に対称になるように配置してあり、引戸４ｂの枠材１０側の端部を上記のように固定装置３５にて枠材１０に固定できるようになっている。引戸４ａの召し合わせ側の端部及び引戸４ｂの枠材１０側の端部には断面略半円状の凹溝４１を上下方向に亙るように凹設してあり、引戸４ａの召し合わせ部の一方の端部の凹溝４１及び引戸４ｂの凹溝４１には円筒状の軟質クッション材４２を軟質クッション材４２の略半分が埋まるように嵌めて装着してある。しかして引戸４ｂを固定した状態では軟質クッション材４２が枠材１０の戸じゃくり４３に納まり、しかも戸じゃくり４３内で軟質クッション材４２が潰れ、枠材１０と引戸４ｂとの間の明かり漏れを防止できる。この場合、枠材１０には必ずしも戸じゃくり４３が必要でない。また引戸４ａ，４ａの召し合わせ部では軟質クッション材４２を対向する凹溝４１に納めることで、引戸４ａ，４ａの召し合わせ部の明かり漏れを防止できる。
【００１５】
更に、図１４，１５に示す実施の形態の例について述べる。本例の場合、図１乃至図４のように３枚の引戸４ａ，４ｂ，４ｃを一組にして開口の左右に対称に２組（計６枚の引戸）配置したものであり、引戸４ｃが枠材１０（図２）に固定され、閉じたときに開口９（図１）の左右方向の中央部で引戸４ａが突き合わさるように隣接するものである。そして、図５に示すように、引戸４ｂの上端に一対のプーリ５，５とプーリ５，５を回動するワイヤ６を配設し、引戸４ａの摺動部材３ａと引戸４ｃの摺動部材３ｃがそれぞれ連結部材１８を介してワイヤ６に連結し、ワイヤ６の回動に連動して引戸４ａ，４ｂ，４ｃが連動して開閉するものである。
【００１６】
また、下レール１３の左右端部にはプーリー５０，５０が設けられ、プーリー５０，５０にワイヤ５１をたすき掛けに架設してある。ここで、本例はプーリー５０及びワイヤ５１を下レール１３に穿設した凹溝５５内に設けて外側から見えないよう外観を向上させてある。たすき掛けに架設されたワイヤ５１は開口９（図１）の左右方向の中央部で交差するものであり、ワイヤ５１の交差する位置から左右方向に対称位置に一対の連動棒５２，５２がワイヤ５１から上方に向って突設し固定されている。すなわち、連動棒５２，５２はワイヤ５１の軌道に合わせて左右方向の中央部に対して対称的に運動するものである。また、開口９（図１）の左右方向の中央部で隣接する引戸４ａ，４ａの下端から引戸４ａと引戸４ｂとの間隙に位置するように連結部材５３がそれぞれ突設されているものである。連結部材５３には巾方向に長手形状の長孔５４が穿設されており、長孔５４には連動棒５２が挿通されるものである。
【００１７】
このように、連結部材５３と連動棒５２が連結され、ワイヤ５１と一対の引戸４ａ，４ａとがそれぞれ連結するものである。連動棒５２はワイヤ５１の軌道上を移動する為に左右方向に移動する際には巾方向にも移動するものであるが、長孔５４内にて連動棒５２は巾方向には自由に移動できる為、長孔５４が連動棒５２の巾方向の動作を吸収すると共に連動棒５２の左右方向の動作のみを連結部材５３に伝動し、一対の引戸４ａ，４ａは左右に反対方向に向って連動するものである。つまり、一対の一方の引戸４ａを開くと一対の他方の引戸４ａがワイヤ５１を介して連動して一方の引戸と反対側に開くものであり、更に、一対の引戸４ａ，４ａを開くとそれぞれワイヤ６を介して他の一対の引戸４ｂ，４ｂ及び４ｃ，４ｃもそれぞれ左右対称に連動して開くものである。このように、一枚の引戸を開閉することで他の全ての引戸が連動して開閉し、引戸の開閉操作が容易にできるものである。また、複数の引戸がそれぞれ左右対称に連動して開閉されるものなので、外観が向上するものである。
【００１８】
【発明の効果】
本発明の請求項１の発明は、開口に設けた上レールと下レールとの間に複数枚の引戸を開閉自在に配置し、引っ掛け頭部を有する引っ掛けビスを開口の側部の枠材に打入し、複数の引戸のうち上記枠材に固定する引戸の端面に上記引っ掛けビスと対応する位置で設けた切欠に固定装置を装着し、この固定装置は本体板の両側から側板を延出した係止プレートと、係止プレートを切欠内に配置させるための押さえプレートとを有し、本体板を切欠内に位置させると共に側板を引戸の表裏両面に沿うように位置させて係止プレートを切欠に上下にスライド自在に配設し、係止プレートの上から切欠に押さえプレートを取付け、係止プレートの本体板に上記引っ掛け頭部を挿通し得る大径孔と引っ掛け頭部を係止し得る小径孔とを上下に有するだるま孔状の引っ掛け孔を形成し、上記引っ掛け孔を露出させる開口を押さえプレートに形成したので、固定装置の係止プレートの引っ掛け孔の大径孔と引っ掛けビスの引っ掛け頭部とを対応させて引っ掛け頭部を大径孔に挿通し、係止プレートをスライドさせて引っ掛け孔の小径孔を引っ掛け頭部に引っ掛けて引戸を固定することができるものであって、枠材側には引っ掛けビスを打入するだけでよくて枠材側の施工に工数や手間を要せず施工を容易にできるものである。
【００１９】
また本発明の請求項２の発明は、請求項１において、上レールに３条の摺動溝を平行に設け、各摺動溝に夫々摺動部材を上レールの長手方向に摺動自在に装着すると共に各摺動部材に夫々引戸の上端を装着し、上レールの巾方向の中央に位置する摺動部材の長手方向の両端に夫々プーリを回転自在に装着すると共に両端のプーリ間に環状のワイヤを掛け回し、上レールの巾方向の両側に位置する摺動部材を夫々ワイヤに結合して３枚の引戸を連動させているので、３枚の引戸を連動させて開閉することができて開閉操作が容易にできるものであり、しかも３枚の引戸を連動させる摺動部材やプーリやワイヤが上レール内に納まって外観上殆ど目立つことがなくて外観を向上できるものであり、また開口を閉じるように引戸を閉じたとき互いに当たって止まるストッパーを各引戸の下部に夫々設けているので、３枚の引戸を上レールの部分で連動させるものでも各引戸を閉じたとき引戸の下部のストッパー同士が当たって相互に止められ、引戸の下部が浮き上がるように引戸が傾いたりするおそれがないものである。
【００２０】
また本発明の請求項３の発明は、請求項１または請求項２において、引戸の枠材に当接する端面や互いに召し合わせる端面に上下方向に断面略半円状の凹溝を設け、この凹溝に円筒状の軟質クッション材を埋設するように取り付けているので、引戸を閉じたとき軟質クッション材にて簡単に明かり漏れ防止ができるものである。
【００２１】
また本発明の請求項４の引戸装置は、請求項２において、上レールに装着した摺動部材を介して連動して開閉する３枚の引戸を１組にして開口の左右に左右対称になるように２組配置し、下レールの左右端部に設けたプーリーにワイヤをたすき掛けに架設し、閉じたときに開口の左右方向の中央部で隣接する一対の引戸にワイヤをそれぞれ連結したので、１枚の引戸を開閉することで他の５枚の引戸を連動させて開閉することができて引戸の開閉操作が容易にでき、またその際に引戸が左右対称に連動して開閉するものなので外観が向上するものである。
【図面の簡単な説明】
【図１】本発明の実施の形態の一例の横断面図である。
【図２】同上の引戸を閉じた状態の正面図である。
【図３】同上の引戸を開いた状態の正面図である。
【図４】同上の引戸の開閉状態を説明する横断面図であり、（ａ）は引戸を閉じた状態であり、（ｂ）は引戸を開いた状態である。
【図５】同上の連動機構を示す分解斜視図である。
【図６】同上の連動機構を示す平面図である。
【図７】同上の全体の縦断面図である。
【図８】同上の上レール部分の縦断面図である。
【図９】同上の固定装置部分の分解斜視図である。
【図１０】図９とは異なる方向から見た分解斜視図である。
【図１１】同上の固定装置の組み立て状態を示し、（ａ）は正面図、（ｂ）は側面図である。
【図１２】（ａ）（ｂ）は同上のストッパーの働きを説明するもので正面図及び横断面図であり、（ｃ）は従来の問題を示す斜視図である。
【図１３】同上の実施の形態の他の例を示し、（ａ）は横断面図、（ｂ）は要部を拡大せる横断面図である。
【図１４】同上の実施の形態の他の例を示す概略斜視図である。
【図１５】（ａ）は同上の要部を拡大せる斜視図であり、（ｂ）は（ａ）の縦断面図である。
【図１６】従来例を示す斜視図である。
【符号の説明】
１  上レール
２ａ，２ｂ，２ｃ  摺動溝
３ａ，３ｂ，３ｃ  摺動部材
４、４ａ，４ｂ，４ｃ  引戸
５  プーリ
６  ワイヤ
１３  下レール
３４  切欠
３５  固定装置
３６  係止プレート
３７  引っ掛け孔
３７ａ  大径孔
３７ｂ  小径孔
３８  引っ掛けビス
３８ａ  引っ掛け頭部
３９  押さえプレート
４０  ストッパー
４１  凹溝
４２  軟質クッション材
【図１】
0003654111.tif 000002
【図２】
0003654111.tif 000003
【図３】
0003654111.tif 000004
【図４】
0003654111.tif 000005
【図５】
0003654111.tif 000006
【図６】
0003654111.tif 000007
【図７】
0003654111.tif 000008
【図８】
0003654111.tif 000009
【図９】
0003654111.tif 000010
【図１０】
0003654111.tif 000011
【図１１】
0003654111.tif 000012
【図１２】
0003654111.tif 000013
【図１３】
0003654111.tif 000014
【図１４】
0003654111.tif 000015
【図１５】
0003654111.tif 000016
【図１６】
0003654111.tif 000017